(57)【特許請求の範囲】
【請求項１】
軒天井と外装材上端の間に配設される軒天井見切り縁であって、後方の胴縁に固定されるベース材と、ベース材の前面に装着されるカバー材とを有し、ベース材は、上端折り返し部に通気孔が設けられた垂直板と、通気孔より下方位置において垂直板から前方水平方向に突出する突出片とを備え、カバー材は、外装材の外側上端を覆う略垂直な化粧片と、化粧片の上端から後方水平方向に延設される係合片とを有する略Ｌ字形状であり、ベース材の突出片とカバー材の係合片とが係合することで、ベース材とカバー材とが装着一体化されることを特徴とする軒天井見切り縁。
【請求項２】
ベース材の突出片の先端には垂直板側の斜め下方向に向って屈曲する爪部が配設され、カバー材の係合片は、水平な上片と、化粧片側の上片から先端斜め下方向に向かって延設されるとともに先端に上側に折り返す係合折り返し部を有する下片とを有し、
ベース材にカバー材を装着すると、ベース材の突出片は、カバー材係合片の上片と下片との間に狭持されるとともに、ベース材の爪部の先端部とカバー材係合片の下片の係合折り返し部の先端部とが当接することで、突出片と係合片とが係合することを特徴とする請求項１に記載の軒天井見切り縁。
【請求項３】
請求項１または２に記載の軒天井見切り縁の取付構造であって、ベース材は、上端が軒天井に当接するとともに垂直板の裏面が後方の胴縁に当接し、垂直板は、突出片よりも下方位置において固定部材で固定され、外装材は、突出片の下方において垂直板と対峙するとともに、その上端が固定部材によって垂直板を介して固定され、ベース材の突出片にカバー材の係合片が係合して、ベース材とカバー材とが装着一体化されて、外装材を固定する固定部材が化粧片によって覆われることを特徴とする軒天井見切り縁の取付構造。
【発明の詳細な説明】
【技術分野】
【０００１】
本発明は、軒天井見切り縁と、その取付構造に関するものである。
【背景技術】
【０００２】
従来より、軒天井の裏面には、通気孔を有する見切り縁が設けられている場合がある。この見切り縁によって、軒天井の裏空間や胴縁配設部の通気性を確保している。
【０００３】
そして、本出願人も、例えば図４に示した軒天井見切り縁を提案している（特許文献１）。この軒天井見切り縁９０は、軒天井２１と外装材２２の上端との間に配置、固定される見切り縁であって、見切り縁固定縦片９１、支持片９２、パッキン接着片９３、外装材覆い片９４とで構成されている。
【０００４】
具体的には、胴縁２３に当接する見切縁固定縦片９１の上端より上方に向けて断面略Ｌ字状の支持片９２が設けられ、支持片９２の先端より外側斜め上方へ向けて板状のパッキン接着片９３が設けられている。一方、見切縁固定縦片９１の下端には、断面略Ｌ字状の外装材覆い片９４が設けられ、その下方先端からは内側斜め上方へ向けて折り返し片９５が設けられている。この外装材覆い片９４によって、外装材２２の上端が覆われ、外装材２２の上端を固定するネジ、釘などの固定部材２４が露出しないようにされている。また、支持片９２の下面には、内方に向って開口する通気孔９６が設けられ、胴縁２３配設部と屋外とを連通している。さらに、パッキン接着片９３の内側には、パッキン９７が充填されている。
【０００５】
ただ、以上のような軒天井見切り縁９０は、露出する見切縁固定縦片９１にネジ、釘などの固定部材２５を打ち込むことで後方の胴縁２３へ固定している。このため、固定部材２５の頭部２５aが見切縁固定縦片９１の表面に露出し、施工後の外観意匠が好ましくない場合があった。
【０００６】
さらに、このような軒天井見切り縁９０では、固定部材２５による施工性を確保するために、見切縁固定縦片９１は一定の縦長さを有していることが求められる。このため、軒天井見切り縁９０は、外観幅Ｌが大きく、目にとまりやすく、外観意匠性に改善の余地があると考えられていた。
【０００７】
また、この他の軒天井見切り縁として、例えば、外装材覆い片を別部材として取付可能としたものなど、様々な形態が提案されている。しかしながら、これまでに提案されている軒天井見切り縁は、いずれも形状が複雑であり、外観幅も大きく、外観意匠は好ましいものではなかった。また、施工性も十分確保できているとは言い難かった。
【先行技術文献】
【特許文献】
【０００８】
【特許文献１】特許第3637839号
【発明の概要】
【発明が解決しようとする課題】
【０００９】
本発明は、以上のような事情に鑑み、外部に露出する外観幅が小さく、外観意匠に優れ、施工も容易である新しい軒天井見切り縁と、その取付構造を提供することを課題としている。
【課題を解決するための手段】
【００１０】
本発明は、上記の課題を解決するため、軒天井見切り縁およびその取付構造は、以下のことを特徴としている。
【００１１】
第１の発明は、  軒天井と外装材上端の間に配設される軒天井見切り縁であって、後方の胴縁に固定されるベース材と、ベース材の前面に装着されるカバー材とを有し、ベース材は、上端折り返し部に通気孔が設けられた垂直板と、通気孔より下方位置において垂直板から前方水平方向に突出する突出片とを備え、カバー材は、外装材の外側上端を覆う略垂直な化粧片と、化粧片の上端から後方水平方向に延設される係合片とを有する略Ｌ字形状であり、ベース材の突出片とカバー材の係合片とが係合することで、ベース材とカバー材とが装着一体化される。
【００１２】
第２の発明は、前記第１の発明において、ベース材の突出片の先端には垂直板側の斜め下方向に向って屈曲する爪部が配設され、カバー材の係合片は、水平な上片と、化粧片側の上片から先端斜め下方向に向かって延設されるとともに先端に上側に折り返す係合折り返し部を有する下片とを有し、ベース材にカバー材を装着すると、ベース材の突出片は、カバー材係合片の上片と下片との間に狭持されるとともに、ベース材の爪部の先端部とカバー材係合片の下片の係合折り返し部の先端部とが当接することで、突出片と係合片とが係合する。
【００１３】
第３の発明は、前記第１または第２の軒天井見切り縁の取付構造であって、ベース材は、上端が軒天井に当接するとともに垂直板の裏面が後方の胴縁に当接し、垂直板は、突出片よりも下方位置において固定部材で固定され、外装材は、突出片の下方において垂直板と対峙するとともに、その上端が固定部材によって垂直板を介して固定され、ベース材の突出片にカバー材の係合片が係合して、ベース材とカバー材とが装着一体化されて、外装材を固定する固定部材が化粧片によって覆われる。
【発明の効果】
【００１４】
第１の発明では、ベース材は、上端に通気孔が設けられた垂直板と、通気孔より下方位置において垂直板から前方へ水平方向に突出する突出片とを備えている。通気孔が垂直板に設けられているため、高い通気性が確保されている。また、カバー材は、外装材の外側上端を覆う略垂直な化粧片と、化粧片の上端から後方水平方向に延設される係合片とを有する略Ｌ字形状である。そして、前記突出片と前記係合片とが係合することで、ベース材とカバー材とが装着一体化される。ベース材とカバー材とが別部材であるため、軒天井見切り縁の外観幅を小さく設計できる。したがって、人目につきにくく、外観意匠が良好に維持される。また、施工後には、固定部材が露出することがなく、外観意匠が良好に維持される。
【００１５】
第２の発明では、突出片の先端には垂直板側の斜め下方向に向って屈曲する爪部が配設されている。さらに、係合片は、水平な上片と、化粧片側の上片から先端斜め下方向に向かって延設されるとともに先端に上側に折り返す係合折り返し部を有する下片とを有している。したがって、ベース材にカバー材を装着すると、突出片は、上片と下片との間に狭持されるとともに、爪部の先端部と下片の係合折り返し部の先端部が当接することで突出片と係合片とが係合する。このため、第１の発明の効果に加え、より確実かつ簡便にベース材にカバー材を装着することができ、施工性に優れている。
【００１６】
第３の発明は、軒天井見切り縁の取付構造であって、前記第１、第２の発明の効果が確実に発揮される。
【図面の簡単な説明】
【００１７】
【図１】本発明の軒天井見切り縁の一実施形態を例示した分解斜視図である。
【図２】（Ａ）〜（Ｃ）は、図１に例示した形態の軒天井見切り縁において、ベース材にカバー材を装着する工程を例示した拡大概要図である。
【図３】本発明の軒天井見切り縁の取付状態を例示した断面図である。
【図４】従来の軒天井見切り縁の形態を例示した断面図である。
【発明を実施するための形態】
【００１８】
図１は、本発明の軒天井見切り縁の一実施形態を例示した分解斜視図である。
【００１９】
軒天井見切り縁１は、ベース材２と、カバー材３とを有している。ベース材２、カバー材３はいずれも、建物外壁に沿って長尺な部材である。その素材としては、金属薄板、例えば鉄板、アルミニウム板、銅板、ステンレス板、チタン板、アルミニウム・亜鉛合金メッキ鋼板、あるいは合成樹脂板、例えば塩化ビニル樹脂板、ポリカーボネイト樹脂板等が例示される。ベース材２およびカバー材３はいずれも、例えば、一枚の金属薄板を折り曲げ加工等することで製造することができる。これによって、加工コスト、手間を抑制することができる。
【００２０】
ベース材２は、垂直板４と突出片５とを有している。垂直板４の下端部は、折り返し加工が施され、下端折り返し部４aが形成されている。また、垂直板４の上端部も折り返し加工が施されて、上端折り返し部４bが形成されている。下端折り返し部４aおよび上端折り返し部４bは、必要に応じて形成することができる。
【００２１】
そして、垂直板４には、上端に、上端折り返し部４bを貫通する楕円形状の通気孔６が設けられている。通気孔６の形状、数等は適宜設計することができる。
【００２２】
さらに、垂直板４は、上端折り返し部４bの端部から水平方向に突出する突出片５が延設されている。突出片５の長さは、カバー材３との接合強度などを考慮して適宜設計することができる。例えば、外装材（図示していない）の厚さと同程度の長さとすることができる。この突出片５の先端には、垂直板４側の斜め下方向に向って屈曲する爪部７が設けられている。爪部７の形状、長さ、屈曲角度は適宜設計することができる。
【００２３】
カバー材３は、略Ｌ字形状であり、略垂直な化粧片８と、化粧片８の上端から後方水平方向に延設される係合片９とを有している。ここで、前記「後方」とは、施工後の胴縁方向をいい、図１においては、ベース材２と対峙する方向をいう。そして、化粧片８の下端には、折り返し加工が施されて、屈曲部８aが設けられている。
【００２４】
係合片９は、水平な上片１０と、上片１０下面から先端斜め下方向に向かって延設される下片１１とを有している。そして、下片１１の先端には、上側へ折り返す、係合折り返し部１２が設けられている。
【００２５】
図２（Ａ）〜（Ｃ）は、図１に例示した形態の軒天井見切り縁において、ベース材にカバー材を装着する工程を例示した拡大概要図である。
【００２６】
図２を用いて、カバー材３の係合片９の構造およびカバー材３の装着方法について詳しく説明する。
【００２７】
図２（Ａ）に例示したように、係合片９の上片１０は、化粧片８の上端から水平方向に延びて先端部１０aで下側へ折り返し、再び化粧片８側へ延びている。したがって、上片１０は、先端部１０aにヘアピン構造を有する板状部材が２層に重なって形成されている。
【００２８】
さらに、この化粧片８側へ延びた上片１０の端部からは、先端斜め下方向に向かって下片１１が延設されている。したがって、上片１０と下片１１の間には、先端方向へ拡開する空間Ｘが形成されている。そして、上片１０と下片１１の間の角度は、ベース材２の突出片５先端の爪部７の屈曲角度よりも小さく設計されている。また、上片１０の長さは、ベース材２の突出片５の長さより長く設計されている。そして、下片１１の先端には、上側へ折り返す、係合折り返し部１２が設けられている。
【００２９】
一方、前記のとおり、上端折り返し部４bから延設する突出片５の先端には、垂直板４側の斜め下方向に向って屈曲する爪部７が設けられている。
【００３０】
そして、ベース材２にカバー材３を装着する場合、図２（Ｂ）に例示したように、ベース材２の突出片５が、カバー材３の係合片９の前記空間Ｘ内に入り込むように、前方からカバー材３を押し込む。これによって、係合片９の下片１１は、突出片５先端の爪部７の傾斜に沿って下方（図中矢印方向）に押し広げられながら押し込まれる。上片１０と下片１１が上記の構造を有していることにより弾性力が発揮されるため、下片１１が押し広げられても、係合片９の破損が生じる恐れがない。
【００３１】
そして、図２（Ｃ）に例示したように、カバー材３が押し込まれると、係合片９の上片１０の先端部１０aがベース材２の上端折り返し部４bに略当接する。このとき、係合片９の下片１１先端の係合折り返し部１２は、突出片５の爪部７の先端部７aまで到達する。そして、上片１０と下片１１の弾性力によって下片１１先端の係合折り返し部１２は突出片５側へ滑り込み、下側に押し広げられた下片１１は上側（図中矢印方向）に復帰する。これによって、係合片９の係合折り返し部１２の先端部１２aと突出片５の爪部７の先端部７aとが係合する。したがって、ベース材２にカバー材３を前方から押し込むだけで、簡便かつ確実にベース材２とカバー材３とを装着一体化することができる。
【００３２】
図３は、本発明の軒天井見切り縁の取付状態を例示した断面図である。
【００３３】
軒天井見切り縁１は、軒天井２１と外装材２２上端の間に配設される。ベース材２は、上端が軒天井２１に当接するとともに、垂直板４の裏面が後方の胴縁２３と対峙している。そして、ベース材２の突出片５よりも下の位置において、垂直板４が固定部材１３によって固定されている。固定部材１３は、胴縁２３を貫通して壁下地１４まで達している。また、ベース材２は、上端折り返し部４bに通気孔６を備えている。このため、例えば、図中の矢印で示すように、胴縁２３の内部と軒天井見切り縁１外部は、通気孔６を介して空気が流通する。通気孔６が垂直板４に設けられていることで、外部から風が入り込みやすく、高い通気性が確保されている。このため、胴縁２３内に湿った空気が貯留せず、胴縁２３の腐食、カビの発生等を効果的に抑制することができる。また、通気孔６には、防虫ネット等を適宜設けることもできる。
【００３４】
さらに、外装材２２は、突出片５の下方で垂直板４と対峙するように配置され、上端が垂直板４を介して固定部材１５によって固定されている。この固定部材１５も、胴縁２３を貫通して壁下地１４まで達している。したがって、垂直板４を固定する固定部材１３は、外装材２２の裏側に位置している。また、ベース材２の垂直板４の下端折り返し部４aによって、外装材２２と垂直板４の間には隙間が生じている。
【００３５】
そして、図２を用いて説明した係合構造によって、ベース材２の突出片５にカバー材３の係合片９が係合している。固定されたベース材２にカバー材３を前方から押し込むだけで、簡便かつ確実にベース材２とカバー材３とを装着一体化することができる。
【００３６】
ベース材２にカバー材３が装着されると、外装材２２は、ベース材２の垂直板４とカバー材３の化粧片８の間に狭持される。ベース材２の突出片５およびカバー材３の係合片９の長さは、外装材２２の厚さに対応させて設計することができる。また、化粧片８の下端の屈曲部８aは、外装材２２の表面と当接している。これによって、カバー材３の内部への虫等の侵入を抑制することができる。化粧片８の下端の屈曲部８aは、外装材２２の厚さを考慮して施工時に調整することもできる。
【００３７】
外装材２２の上端および外装材２２を固定する固定部材１５の頭部１５aは、カバー材３の化粧片８によって外側から覆われている。したがって、垂直板４を固定する固定部材１３の頭部１３aおよび外装材２２を固定する固定部材１５の頭部１５aのいずれも外部に露出しないため、施工後の軒天井見切り縁１は意匠性に優れている。
【００３８】
さらに、軒天井見切り縁１は、係合するベース材２とカバー材３とによって構成されているため、ベース材２の垂直板４を外部に露出させることなく固定することができる。このため、軒天井見切り縁１の外観幅Ｌは、ベース材２の突出片５より上の垂直板４（上端折り返し部４b）の長さＬ１と、カバー材３の化粧片８の長さＬ２の和になる。したがって、軒天井見切り縁１は、従来に比べて外観幅Ｌを縮小することができ、人目につきにくく、外観意匠が良好に維持される。
【００３９】
また、ベース材２とカバー材３との接合箇所、すなわち、係合片９の上片１０の先端部１０aとベース材２の上端折り返し部４bの当接箇所には、防水材１６が配設されている。前記接合箇所から雨水が浸入すると、カバー材３の係合片９に沿って雨水が流下し、外装材２２と胴縁２３の間に留まることがある。したがって、前記接合箇所に防水材１６を配設することで、湿気による外装材２２および胴縁２３の腐食や、カビの発生等を抑制することができる。防水材１６は、従来公知のものを使用することができる。例えば、シリコーン系、ポリウレタン系（反応硬化型・湿気硬化型）や、アクリル系などのパッキン材を例示することができる。
【００４０】
なお、本発明の軒天井見切り縁と、その取付構造は、上記の実施形態に限定されることはない。例えば、軒天井と軒天井見切り縁の間に防水材を設けることもできる。また、ベース材とカバー材の各部の折り返し加工は必ずしも必要ではない。例えば、垂直板に上端折り返し部を設けない場合には、突出片は、通気孔より下方位置において垂直板の前面から水平方向に延設することもできる。
【符号の説明】
【００４１】
１  軒天井見切り縁
２  ベース材
３  カバー材
４  垂直板
５  突出片
６  通気孔
７  爪部
７a  先端部
８  化粧片
９  係合片
１０  上片
１１  下片
１２  係合折り返し部
１２a  先端部
１３、１５  固定部材
２１  軒天井
２２  外装材
２３  胴縁
【図２】
0005503366.tif 000002
【図１】
0005503366.tif 000003
【図３】
0005503366.tif 000004
【図４】
0005503366.tif 000005